(57)【特許請求の範囲】
【請求項１】
分析装置で消耗される試薬の消耗状況を監視し、消耗状況についての情報の転送を受ける試薬消耗状況把握ステップ、
試薬消耗状況および計画された検査項目によって分析装置で消費される試薬消費予定情報に基づいて、試薬を供給する試薬供給者毎に、かつ該試薬供給者の取扱う試薬毎に分析装置での試薬消耗状況を解析するステップ、
解析した試薬消耗解析状況もしくはこれに基づく供給管理情報を分析装置の管理装置もしくは試薬供給者の供給管理装置に送信するステップ
とからなることを特徴とする分析装置で使用される試薬の管理方法。
【請求項２】
分析装置で消耗される試薬の消耗状況を監視し、消耗状況についての情報の転送を受ける試薬消耗状況把握ステップ、
試薬消耗状況および計画された検査項目によって分析装置で消費される試薬消費予定情報に基づいて、試薬を供給する試薬供給者毎に、かつ該試薬供給者の取扱う試薬毎に分析装置での試薬消耗状況を解析するステップ、
解析した試薬消耗解析状況もしくはこれに基づく供給管理情報を分析装置の管理装置と試薬供給者との間を仲継ぎする試薬納入者の供給管理装置に送信するステップ
とからなることを特徴とする分析装置で使用される試薬の管理方法。
【請求項３】
分析装置で消耗される試薬の消耗状況を監視し、監視結果を送信する消耗状況管理ステップ、
消耗状況についての情報の転送を受ける試薬消耗状況把握ステップ、
試薬消耗状況および計画された検査項目によって分析装置で消費される試薬消費予定情報に基づいて、試薬を供給する試薬供給者毎に、かつ該試薬供給者の取扱う試薬毎に分析装置での試薬消耗状況を解析するステップ、
解析した試薬消耗解析状況および試薬の供給管理情報を分析装置の管理装置、試薬供給者の供給管理装置もしくは試薬納入者の供給管理装置に送信するステップ、
試薬の供給管理情報に基づく供給状況を確認するステップ、および
前記試薬消耗状況把握ステップ並びに試薬消耗状況を解析するステップに基づく情報活用に対する対価支払いを分析装置の管理者、試薬供給者もしくは試薬納入者に行う対価請求ステップ
とからなることを特徴とする分析装置で使用される試薬の管理方法。
【請求項４】
分析装置で消耗される試薬の消耗状況を監視し、消耗状況についての情報の転送を受ける消費財消耗状況把握手段、
試薬消耗状況および計画された検査項目によって分析装置で消費される試薬消費予定情報に基づいて、試薬を供給する試薬供給者毎に、かつ該試薬供給者の取扱う試薬毎に分析装置での試薬消耗状況を解析する手段、
解析した試薬消耗解析状況もしくはこれに基づく供給管理情報を分析装置の管理装置もしくは試薬供給者の供給管理装置に送信する手段
とからなることを特徴とする分析装置で使用される試薬の管理装置。
【請求項５】
分析装置で消耗される試薬の消耗状況を監視し、消耗状況についての情報の転送を受ける試薬消耗状況把握手段、
試薬消耗状況および計画された検査項目によって分析装置で消費される試薬消費予定情報に基づいて、試薬を供給する消費財供給者毎に、かつ該試薬供給者の取扱う消費財毎に分析装置での試薬消耗状況を解析する手段、
解析した試薬消耗解析状況もしくはこれに基づく供給管理情報を分析装置の管理装置と消費財供給者との間を仲継ぎする試薬納入者の供給管理装置に送信する手段
とからなることを特徴とする分析装置で使用される試薬の管理装置。
【請求項６】
分析装置で消耗される試薬の消耗状況を監視し、監視結果を送信する消耗状況管理手段、
消耗状況についての情報の転送を受ける消費財消耗状況把握手段、
試薬消耗状況および計画された検査項目によって分析装置で消費される試薬消費予定情報に基づいて、試薬を供給する試薬供給者毎に、かつ該試薬供給者の取扱う試薬毎に分析装置での試薬消耗状況を解析する試薬消耗状況解析手段、
解析した試薬消耗解析状況および試薬の供給管理情報を分析装置の管理装置、試薬供給者の供給管理装置もしくは試薬納入者の供給管理装置に送信する管理情報送信手段、
試薬消耗状況および計画された検査項目によって分析装置で消費される試薬消費予定情報に基づいて、試薬の供給管理情報に基づく供給状況を確認する供給状況確認手段、および
前記試薬消耗状況把握手段並びに試薬消耗状況を解析するステップに基づく情報活用に対する対価支払いを分析装置の管理者、試薬供給者もしくは試薬納入者に行う対価請求手段
とからなることを特徴とする分析装置で使用される試薬の管理装置。
【発明の詳細な説明】
【０００１】
【発明の属する技術分野】
本発明は、特に臨床検査などを行う検査施設に設けられる分析装置で使用される消費財の管理方法および管理装置に関する。
【０００２】
【従来の技術】
印刷された測定結果データの分類処理を容易にし、検査室における情報管理の効率向上を図った自動分析装置についての詳細は特開平10−10132 号公報に記載されている。
【０００３】
特開平8−94626号公報には、その中に収容しているキャリブレータ又はコントロールサンプルの識別コードとロット番号を１次元のバーコードとして付された容器と、キャリブレータ又はコントロールサンプルに関する情報および試薬情報を２次元のバーコードとして付された試薬ボトルと、上記容器および上記試薬ボトルのそれぞれのバーコードを読取るバーコードリーダと、上記容器および上記試薬ボトルから読取ったバーコード情報を対応づけて登録する記憶部とを備えた自動分析装置が記載されている。
【０００４】
臨床検査に供される分析装置において、従来は、分析装置の使用者が消費財の在庫数を基にして、必要な量の消費財を該当する消費財の供給者へ発注していた。
【０００５】
当該供給者は、分析装置の使用者から発注のあった消費財をその都度、分析装置の使用者へ供給していた。
【０００６】
【発明が解決しようとする課題】
前記の従来技術では、装置の使用者は必要な消費財の管理を自ら行っていたために、人為的ミスによって、必要な消費財の発注を忘れてしまう危険性があった。
【０００７】
特に、複数の供給者へ消費財の発注が必要な場合には、人為的ミスの発生頻度が高くなっていた。
【０００８】
また、装置使用者が複数の消費財供給者への連絡を解決するために、装置使用者（装置管理者）は、複数の消費財供給者と取引を行う仲介業者を介して、消費財を発注・購入する場合もあるが、仲介業者を介した場合には、仲介業者のコストおよび仲介料が、購入する消費財に加えられるために、結果的に消費財の購入価格が高価になる問題があった。
【０００９】
本発明の目的は、分析装置で分析された項目毎のテスト数や消耗品の消耗度合いの情報を、電話回線に代表される電子媒体を介して自動的に消費財の供給者へ伝達することによって、分析装置使用者の人為的なミスによる発注漏れをなくすことができ、加えて分析装置使用者は所望の消費財を安価に購入できることを実現する方法および装置を提供するものである。
【００１０】
【課題を解決するための手段】
上記目的を達成するため、本発明は、分析装置で消費される消費財の情報を記録する手段と、当該消費財の消費情報を消費財供給者毎に選別する手段と、消費財供給者毎に選別された消費財情報を該当する消費財供給者へ送信する手段と、電話回線に代表される電子媒体による情報伝達媒体と、当該情報の受信手段を備えた消費財の単数または複数の供給者によって構成される。
【００１１】
本発明にあっては、分析装置で消費される試薬，標準液，精度管理試料および消耗部品を消費財とよび、試薬，標準液，精度管理試料を総称するときに試薬で代表して使用する。
【００１２】
本発明は、以上の前提において、具体的には次に掲げる方法および装置を提供する。
【００１３】
本発明は、分析装置で消耗される消費財の消耗状況を監視し、消耗状況についての情報の転送を受ける消費財消耗状況把握ステップ（または手段）、消費財を供給する消費財供給者毎に、かつ該消費財供給者の取扱う消費財毎に分析装置での消費財消耗状況を解析するステップ（または手段）、解析した消費財消耗解析状況もしくはこれに基づく供給管理情報を分析装置の管理装置もしくは消費財供給者の供給管理装置に送信するステップ（または手段）とからなる分析装置で使用される消費財の管理方法（または装置）を提供する。
【００１４】
本発明は、分析装置で消耗される消費財の消耗状況を監視し、消耗状況についての情報の転送を受ける消費財消耗状況把握ステップ（手段）、消費財を供給する消費財供給者毎に、かつ該消費財供給者の取扱う消費財毎に分析装置での消費財消耗状況を解析するステップ（手段）、解析した消費財消耗解析状況もしくはこれに基づく供給管理情報を分析装置の管理装置と消費財供給者との間を仲継ぎする消費財納入者の供給管理装置に送信するステップ（手段）とからなる分析装置で使用される消費財の管理方法（または装置）を提供する。
【００１５】
本発明は、分析装置で消耗される消費財の消耗状況を監視し、消耗状況についての情報の転送を受ける消費財消耗状況把握ステップおよび消費財供給者の取扱う消費財毎に分析装置での消費財消耗状況を解析するステップを経て供給される消費財消耗状況情報を入手するステップ（手段）、入手された消費財消耗状況情報を基にして分析装置の管理装置もしくは消費財納入者の供給管理装置に消費財の供給情報を伝達するステップ（手段）とからなる分析装置で使用される消費財の管理方法（または装置）を提供する。
【００１６】
本発明は、分析装置で消耗される消費財の消耗状況を監視し、監視結果を送信する消耗状況管理ステップ（または手段）、消耗状況についての情報の転送を受ける消費財消耗状況把握ステップ（または手段）、消費財を供給する消費財供給者毎に、かつ該消費財供給者の取扱う消費財毎に分析装置での消費財消耗状況を解析するステップ（または手段）、解析した消費財消耗解析状況および消費財の供給管理情報を分析装置の管理装置、消費財供給者の供給管理装置もしくは消費財納入者の供給管理装置に送信するステップ（または手段）、消費財の供給管理情報に基づく供給状況を確認するステップ（または手段）、および前記消費財消耗状況把握ステップ並びに消費財消耗状況を解析するステップに基づく情報活用に対する対価支払いを分析装置の管理者、消費財供給者もしくは消費財納入者に行う対価請求ステップ（または手段）とからなる分析装置で使用される消費財の管理方法（または装置）を提供する。
【００１７】
また、本発明は、消費財の代表的事例として試薬についての管理方法および管理装置を提供する。
【００１８】
【発明の実施の形態】
以下、本発明にかかる実施例を図面に基づいて説明する。
【００１９】
図１は、本発明を適用した、分析装置で使用される消費財の発注および供給方法の一例を示す概略構成図である。試薬を例に取り、以下説明を行う。従って、試薬を消費財と読み替えることができる。
【００２０】
図において、検査施設１０内には分析装置１０１が配設され、情報センタ１１および試薬供給者１２との間は各種ネットワークを構成する情報伝達媒体２１，２２，２３，２４，２５で結ばれる。これは有線に限られず、無線によって結んでもよい。
【００２１】
検査施設１０には、分析装置１０１を使用し、管理する分析管理者（分析使用者）１００が配される。
【００２２】
分析装置１０１は、通信回線１０２を介して情報管理装置９０に接続される。情報管理装置９０には分析装置の操作を行い、かつ情報管理操作を行う操作部１０３，表示部１０４，記憶装置１０５，キーボード１００が付属される。
【００２３】
分析装置１０１は、反応ディスク１１１，その同心円周上に複数個設置された反応容器１１２，試薬ディスク１１３，その同心円周上に複数個設置され、種々の試薬が入った試薬ボトル１１４，反応ディスク１１１の周囲に設置した試料分注プローブ１１５，撹拌装置１１６，洗浄装置１１７，光源１１８，多波長光度計１１９，反応ディスク１１１と試薬ディスク１１３の間に設置される試薬分注プローブ１２０，試料分注プローブ１２０の回転円周上で、試薬ディスク１１３の隣に配置された試料ディスク１２１，試料を入れた試料容器１２２を備える。
【００２４】
これら装置の機構動作をすべて、通信回路１０２，インターフェース１３１を介してコンピュータ１３２によって制御される。
【００２５】
また、多波長光度計１１９で得られた測定結果は、Ａ／Ｄコンバータ１３３を介してインターフェース１３１に送信され、通信回線１０３を介して情報管理装置９０に入力され、分析され各種用途に役立てられる。
【００２６】
図１において、分析装置１において、消費される消費財の情報は記録装置105で記録される。記録装置１０５において記録された当該消費財の消費情報は、内蔵する情報選別手段によって、消費財供給者毎に選別される。消費財供給者毎に選別された消費財情報は、情報管理装置９０の送信手段によって、情報伝達媒体２１、例えば電話回線、を介し情報センタ１１に送信される。
【００２７】
情報センタ１１は、情報解析装置１３１を備える。情報解析装置１３１は、データベース１３２，操作部１３３，キーボード１３４，画面部１３５を備える。
【００２８】
データベース１３２は、各検査施設に設けられる分析装置、これに使用される消費財，試薬供給者，供給される消費財をデータとして収集してある。従って、情報管理装置９０に代えて、情報解析装置１３１において記録装置１０において記録された消費財の消費情報に基づいて内蔵する情報選別手段によって消費財供給者毎に選別するようにすることができる。
【００２９】
情報解析装置１３１は、情報管理装置９０からの消費情報および計画された分析方法，分析回数などの消費予定情報に基づき情報を分析し、分析装置１０１に貯蔵された消費財の消費状況，在庫状況，消費傾向，完全消費時期予定日などについて解析を行う。この解析は試薬供給者毎に、かつ試薬毎に行われ、その結果は供給日，供給量などの供給情報となり、解析結果と共にデータベース１３２に記録され、情報伝達媒体２２を介して検査施設１０、例えば情報管理装置９０に送信される。他の管理装置に送信されてもよい。
【００３０】
分析装置管理者１００は、情報センサ１１から送信された解析情報，供給情報を基にして、試薬供給者１２、すなわち試薬供給者Ａ，試薬供給者Ｂ，試薬供給者Ｃへの試薬毎の発注作業を行う。従来、分析装置管理者１００は、発注作業のための在庫監視を毎日の業務の中に組み込んで行わなければならなかったが、この新たなシステムによって情報センサ１１からの情報を活用することによって発注作業を容易，簡便に行うことができる。
【００３１】
情報管理装置９０を使用した分析装置管理者１００からの試薬発注は、情報伝達媒体２３，２４，２５を介して選別された各試薬を取扱う試薬供給者Ａ，試薬供給者Ｂ，試薬供給者Ｃの有する管理装置１４１に入力される。
【００３２】
管理装置１４１は、操作部１４５，画面部１４６，記憶部１４７，キーボード１４８，マウス１４９を備える。
【００３３】
画面部１４６には、試薬ａ１，ａ２，ａ３，ａ４が供給日と供給量と価格と共に表示され、これらの供給情報は記憶部１４７に記録される。
【００３４】
管理装置１４１は、供給作業を担当者に指示すると共に、供給状況が情報伝達媒体２３，２４，２５から検査施設１０に、例えば情報管理装置９０に送信され、分析装置管理者１００によって供給実績が確認され、その旨入力される。
【００３５】
このように、分析装置管理者１００から発注のあった試薬について時宜を得た供給が試薬供給者からなされる。
【００３６】
図２は、表示部１４６に表示される画面の一例を示す。検査設備名１５１，納入期限１５２，試薬供給者１５３，試薬名１５４，注文量１５５が表示される。
【００３７】
図３は、画面部１４６に表示される画面の一例を示す。検査施設名１６１，納入期限日１６２，試薬名１６３，注入量１６４が表示される。
【００３８】
ユーザは、測定に必要な種々のパラメータ設定や試料の登録、そして分析結果の確認を画面（ＣＲＴ）で行う。
【００３９】
試薬ボトルには、バーコードがボトルの側面に貼り付けてある場合と貼り付けていない場合がある。試薬バーコードには、試薬ボトル識別情報，試薬ロットＮｏ，有効期限などが記載されている。試薬バーコード読取り装置（図示せず）がついている場合は、例えば試薬ディスク１１３のふたを閉めたときに試薬ディスクの全ポジションの試薬ボトルのバーコードを読取り、各ポジションに対応した試薬ボトル情報が登録される。一方、ボトルにバーコードが貼られていない場合は、ユーザが操作部１０３からバーコードの情報をマニュアルで入力するなどして、試薬ボトル情報を登録する。試薬ボトル情報は、試薬のタイプ，ロットＮｏ，有効期限，試薬残量等の情報で構成される。試薬ディスク１１３にセットした試薬によって、分析可能な検査項目が決まり、その分析条件を定義する分析パラメータが必要となる。また、分析パラメータの設定方法としては、操作部１０３から、検査項目を指定して必要なパラメータを手入力したり、ＦＤやバーシートから読み込ませる等の方法もある。
【００４０】
図４は、第２の例を示す。図１に示す第１の例と同じ構成には同一の番号を付し、繰り返し説明することを避ける。新しい構成について主に説明を行う。
【００４１】
この例にあっては、分析装置管理者１００は情報管理装置９０によって情報伝達媒体２１を介して収集された試薬使用状況，試薬使用予定状況などの情報を情報センタ１１に送信することは先の例と同じであるが、試薬の発注が分析装置管理者１００から情報伝達媒体３１を介して情報センタ１１になされることが先の例と異なる。この発注に先立って解析結果等の情報が情報管理装置９０に送信されることは先の例と同じである。
【００４２】
発注を受けた情報センタ１１は情報伝達媒体３２を介して試薬供給者Ａ，試薬供給者Ｂ，試薬供給者Ｃに発注を行う。発注を受けた試薬供給者は該当の試薬を検査施設１０に納入すると共に、納入したことを情報伝達媒体２３，２４，２５を介して情報管理装置９０に送信する。
【００４３】
図５は、第３の例を示す。図１に示す第１の例と同じ構成には同一番号を付し、繰り返し説明することを避ける。新しい構成について主に説明する。
【００４４】
情報管理装置９０による分析装置管理者１００の発注は試薬納入者（試薬納入業者）１７０に対して行われる。試薬納入者１７０は、分析装置管理者１００と試薬供給者１２との間に位置する仲継ぎ業者である。試薬納入者１７０は、管理装置１７１を有し、この管理装置は他の管理装置と同様に操作部１７２，画面部１７３，記憶部１７４，キーボード１７５を備える。
【００４５】
情報解析装置１３１からの解析結果等の情報は情報伝達媒体４１を介して試薬納入者１７０の管理装置１７１に送信される。
【００４６】
試薬納入者１７０はその管理装置１７１を使用して、試薬供給者毎に、かつ該当の試薬毎に試薬供給者Ａ，試薬供給者Ｂ，試薬供給者Ｃに情報伝達媒体４２，４３，４４を介して発注を行う。
【００４７】
試薬供給者からの試薬の納入は試薬納入者１７０に行われ、その供給情報が伝達される。
【００４８】
試薬納入者１７０は、注文のあった試薬を検査施設１０に納入し、供給情報を情報伝達媒体４５を介して情報管理装置９０に送信する。
【００４９】
次にこれらの例における情報センタ１１の費用請求について説明する。
【００５０】
情報管理装置９０からの情報に基づく情報解析および供給情報の作成に要した費用は別途の契約に基づいて検査施設１０，試薬供給者１２もしくは／および試薬納入者１７０に対してなされる。これらの業務処理は、情報管理装置９０，情報解析装置１３１，試薬供給者の管理装置１４１，試薬納入者の管理装置１７０によってなされる。
【００５１】
【発明の効果】
本発明は、以上説明したように、分析装置使用者の発注の手間を省くと共に、確実に消費財を発注でき、消費財供給者は適切な時期に消費財を供給する事ができる。
【図面の簡単な説明】
【図１】本発明を適用した、分析装置で使用される消費財の発注および供給方法を示す概略構成図。
【図２】情報管理装置の画面構成図。
【図３】試薬供給者の管理装置の画面構成図。
【図４】他の例を示す分析装置で使用される消費財の発注および供給方法を示す概略構成図。
【図５】他の例を示す分析装置で使用される消費財の発注および供給方法を示す概略構成図。
【符号の説明】
１…消費財の管理装置、１０…検査施設、１１…情報センタ、１２…試薬供給者、２１，２２，２３，２４，２５，３１，３２，４１，４２，４３，４４，４５…情報伝達媒体、９０…情報管理装置、１００…分析装置管理者、１０１…分析装置、１０２…通信回線、１０３…操作部、１０４…表示部、１３１…情報解析装置、１３２…データベース、１３３…操作部、１３５…画面部、１４１…試薬供給者の管理装置、１４５…操作部、１４６…画面部、１７０…試薬納入者、１７１…試薬納入者の管理装置。
【図１】
0003800011.tif 000002
【図２】
0003800011.tif 000003
【図３】
0003800011.tif 000004
【図４】
0003800011.tif 000005
【図５】
0003800011.tif 000006